(57)【特許請求の範囲】
【請求項１】
ドア枠に固定される戸当りベースと、
前記ドア枠の幅方向に移動可能に前記戸当りベースに支持される戸当り本体と、
前記戸当り本体を、その移動範囲内の任意の位置に固定する固定手段と
を備え、
前記戸当りベースは、断面Ｕ字状の長尺のベース基材と、このベース基材の全長にわたって、両先端部からそれぞれ内側に張り出す鍔部とを有し、前記ドア枠の内面と前記鍔部の外面とが面一になるように、前記ドア枠に埋設されており、
前記戸当り本体は、前記戸当りベースの前記ベース基材内に収容されるベース部材と、このベース部材に連設され、前記ドア枠の内面から突出する戸当り部材とを有し、
前記戸当り本体には、その全長にわたって、前記ベース部材と前記戸当り部材との連設部分に支持溝が形成されており、この支持溝を前記戸当りベースの前記鍔部に嵌め込むことによって、前記戸当り本体がその幅方向に移動可能に前記戸当りベースに支持されるようになっている戸当り。
【請求項２】
前記固定手段は、前記戸当り本体に形成された幅方向に伸びる長孔に挿通したねじによって、前記戸当り本体を前記戸当りベースに固定するようになっている請求項１に記載の戸当り。
【請求項３】
前記固定手段は、前記戸当りベースと前記戸当り本体との間に配設された、前記戸当りベースの幅方向への移動が規制された状態で回転する円盤状の回転板と、
前記回転板の偏心位置に固定された、前記回転板を回転操作する操作部材とを有し、
前記回転板が、前記操作部材を介して前記戸当り本体に回転可能に支持されている請求項１に記載の戸当り。
【請求項４】
前記戸当り本体の前記ベース部材には、孔が形成されており、
前記操作部材は、前記ベース部材に形成された前記孔に嵌め込み可能な円形突起状であり、
前記回転板は、前記操作部材を前記ベース部材に形成された前記孔に嵌め込んだ状態で、前記戸当りベースと前記戸当り本体との間に挟み込むことによって、前記戸当り本体に対して回転可能に支持されている請求項３に記載の戸当り。
【請求項５】
前記戸当り本体は、前記ベース部材の全長にわたって前記固定手段を隠蔽する開閉可能または着脱可能なカバー部材を備えている請求項１、２、３または４に記載の戸当り。
【請求項６】
前記戸当り本体は、前記ベース部材の全長にわたって前記固定手段を隠蔽するカバー部材を備え、
前記カバー部材は、前記固定手段に対応する部分を部分的に開閉または着脱する開閉部または着脱部を有している請求項１、２、３または４に記載の戸当り。
【発明の詳細な説明】
【０００１】
【発明の属する技術分野】
この発明は、ドア枠に設置される戸当り、特に、反りが生じたドアに沿うように簡単に位置調整を行うことのできる戸当りに関する。
【０００２】
【従来の技術】
図１９（ａ）、（ｂ）に示すように、部屋等の出入口を開閉するドア５０は、出入口に設置されたドア枠６０に蝶番（図示せず）を介して取り付けられており、ドア５０を閉じた時にドア枠６０の所定位置にドア５０が位置決めされるように、ドア枠６０の内面には、両側面及び上面にドア５０の周縁部が当接する戸当り７０が設けられている。
【０００３】
こういった戸当り７０は、図２０に示すように、ドア枠６０への設置面に長手方向に延びる突条７１が形成されており、この突条７１を、ドア枠６０に形成された溝６１に嵌め込み、木ねじ７２等によってねじ止めすることにより、ドア枠６０に固定されるようになっている。
【０００４】
【発明が解決しようとする課題】
ところで、当初精度良く作製されたドア５０であっても、年月が経過するにつれて、木材の吸放湿等、種々の要因によって反りを生じる場合があり、このようにドア５０に反りが生じると、図２１（ａ）に示すように、ドア５０を閉じた状態で、戸当り７０とドア５０との間に部分的に隙間ｓが生じたり、同図（ｂ）に示すように、ドア５０が部分的に戸当り７０に当接することで、ドア５０を確実に閉めることができなくなるといった種々の問題が発生する。
【０００５】
このように、ドア５０に反りが生じることに伴い、ドア５０と戸当り７０との間に部分的に隙間が形成されたり、ドア５０が閉まりにくくなるといった問題が発生した場合、これまでは、反りのない新しいドア５０に取り替えたり、反りの生じたドア５０にあわせて、新たな戸当り７０に付け替えるといった手間とコストのかかる方法によって対処していた。
【０００６】
確かに、ドア５０に生じた反りが大きい場合は、新しいドア５０や戸当り７０に取り替えなければならないが、ドア５０に生じた反りの程度が比較的小さい場合は、ドア５０や戸当り７０を取り替えるといった手間とコストのかかる方法ではなく、ドア枠６０に既に取り付けてある戸当り７０を部分的に調整することによって反りの生じたドア５０に沿わすことができれば、手間をかけずに低コストで、こういった問題を解決することができる。
【０００７】
しかしながら、上述したように、ドア枠６０に形成された溝６１に突条７１を嵌め込んでねじ止めすることにより、ドア枠６０に固定される戸当り７０では、ドア枠６０に取り付けられた状態で、戸当り７０の位置調整を行うことはほとんど不可能であり、ドア５０に生じた反りの程度が比較的小さい場合であっても、ドア５０や戸当り７０を取り替えざるを得ないのが現状である。
【０００８】
そこで、この発明の課題は、ドアに生じた反りの程度が比較的小さい場合には、簡単に位置調整を行うことによって反りの生じたドアに沿わせることのできる戸当りを提供することにある。
【０００９】
【課題を解決するための手段及びその効果】
上記の課題を解決するため、請求項１に係る発明は、ドア枠に固定される戸当りベースと、前記ドア枠の幅方向に移動可能に前記戸当りベースに支持される戸当り本体と、前記戸当り本体を、その移動範囲内の任意の位置に固定する固定手段とを備え、前記戸当りベースは、断面Ｕ字状の長尺のベース基材と、このベース基材の全長にわたって、両先端部からそれぞれ内側に張り出す鍔部とを有し、前記ドア枠の内面と前記鍔部の外面とが面一になるように、前記ドア枠に埋設されており、前記戸当り本体は、前記戸当りベースの前記ベース基材内に収容されるベース部材と、このベース部材に連設され、前記ドア枠の内面から突出する戸当り部材とを有し、前記戸当り本体には、その全長にわたって、前記ベース部材と前記戸当り部材との連設部分に支持溝が形成されており、この支持溝を前記戸当りベースの前記鍔部に嵌め込むことによって、前記戸当り本体がその幅方向に移動可能に前記戸当りベースに支持されるようになっている戸当りを提供するものである。
【００１０】
以上のように構成された戸当りは、ドア枠に固定される戸当りベースと、ドア枠の幅方向に移動可能に戸当りベースに支持される戸当り本体と、戸当り本体を、その移動範囲内の任意の位置に固定する固定手段とを備えているので、ドアに反りが生じることによって、ドアを閉じた時にドアと戸当りとの間に部分的に隙間が生じたり、ドアが部分的に戸当りに当接することでドアを確実に閉めることができなくなるといった問題が発生した場合には、戸当りベースに対する戸当り本体の固定を一旦解除して、戸当たり本体の長手方向の一部をドア枠の幅方向に移動させて位置調整を行った後、その位置で再び固定することによって、反りが生じたドアに戸当りを確実に沿わせることができる。
【００１２】
また、戸当りベースは、断面Ｕ字状の長尺のベース基材と、このベース基材の全長にわたって、両先端部からそれぞれ内側に張り出す鍔部とを有し、ドア枠の内面と鍔部の外面とが面一になるように、ドア枠に埋設されており、戸当り本体は、戸当りベースのベース基材内に収容されるベース部材と、このベース部材に連設され、ドア枠の内面から突出する戸当り部材とを有し、戸当り本体には、その全長にわたって、ベース部材と戸当り部材との連設部分に支持溝が形成されており、この支持溝を戸当りベースの鍔部に嵌め込むことによって、戸当り本体がその幅方向に移動可能に戸当りベースに支持されるようになっているので、反りが生じたドアに戸当り本体を沿わせるために、戸当り本体の固定を解除して、戸当り本体をドア枠の幅方向に移動させて位置調整を行う際、戸当り本体が戸当りベースから外れることがなく、戸当り本体の位置調整作業を円滑に行うことができる。
【００１３】
また、請求項２に記載の戸当りのように、前記固定手段が、前記戸当り本体に形成された幅方向に伸びる長孔に挿通したねじによって、前記戸当り本体を前記戸当りベースに固定するものにあっては、戸当り本体をドア枠の幅方向に移動させることによって、反りが生じたドアに戸当り本体を沿わせる際、戸当り本体を戸当りベースに固定しているねじを適当に緩めるだけで、戸当り本体を長孔の範囲内において自由に移動させることができ、しかも、戸当り本体が位置決めされた段階では、緩めたねじを締め込むことによって戸当り本体を即座に固定することができるので、戸当り本体の位置調整作業をさらに円滑に行うことができる。
【００１４】
また、請求項３に記載の戸当りのように、前記固定手段が、前記戸当りベースと前記戸当り本体との間に配設された、前記戸当りベースの幅方向への移動が規制された状態で回転する円盤状の回転板と、前記回転板の偏心位置に固定された、前記回転板を回転操作する操作部材とを有し、前記回転板が、前記操作部材を介して前記戸当り本体に回転可能に支持されているものにあっては、操作部材を操作することによって回転板を回転させるだけで、回転板の偏心位置に支持されている戸当り本体がベース部材の幅方向に移動してその位置に保持されるので、戸当り本体をドア枠の幅方向に移動させることによって、反りが生じたドアに戸当り本体を沿わせるといった戸当り本体の位置調整作業を簡単かつ効率よく行うことができる。特に、請求項４に記載の戸当りのように、円形突起状の操作部材をベース部材に形成された孔に嵌め込んだ状態で、回転板を戸当りベースと戸当り本体との間に挟み込むことによって、回転板を戸当り本体に対して回転可能に支持しておくことが望ましい。
【００１５】
また、請求項５に記載の戸当りのように、前記戸当り本体が、前記ベース部材の全長にわたって前記固定手段を隠蔽する開閉可能または着脱可能なカバー部材を備えているものにあっては、戸当り本体の位置調整を行う際に、カバー部材を開いたり、カバー部材を外したりすることによって、固定手段を露出させることができるので、戸当り全体の外観を損ねることなく、戸当り本体の位置調整時における良好な作業性を確保することができる。
【００１６】
また、請求項６に記載の戸当りのように、前記戸当り本体が、前記ベース部材の全長にわたって前記固定手段を隠蔽するカバー部材を備え、前記カバー部材に、前記固定手段に対応する部分を部分的に開閉または着脱する開閉部または着脱部が形成されたものにあっては、反りが生じたドアに戸当り本体を沿わせるために、戸当り本体の位置調整を行う際に、カバー部材全体を開いたり、取り外したりすることなく、カバー部材に部分的に形成されている開閉部または着脱部を開いたり、取り外したりしさえすれば固定手段を露出させることができるので、戸当り本体の位置調整作業を迅速に行うことができる。
【００１８】
【発明の実施の形態】
以下、実施の形態について図面を参照して説明する。図１ないし図３に示すように、この戸当り１は、ドア枠４０に埋設される長尺の戸当りベース１０と、戸当りベース１０の幅方向に移動可能に戸当りベース１０に支持される長尺の戸当り本体２０と、戸当り本体２０を、その移動範囲内の任意の位置に固定する固定手段３０とから構成されており、前記戸当りベース１０及び戸当り本体２０は、合成樹脂を押出成形することによって形成されている。
【００１９】
前記戸当りベース１０は、図１及び図２（ａ）に示すように、断面Ｕ字状の長尺のベース基材１１と、このベース基材１１の全長にわたって、両先端部からそれぞれ内側に張り出す鍔部１２と、ベース基材１１からドア枠４０側に突出して、ドア枠４０に埋設された際のドア枠４０に対する保持力を高める一対の保持片１３とから構成されており、図３（ｂ）に示すように、ドア枠４０の内面と鍔部１２の外面とが面一になるように、ドア枠４０に埋設されている。
【００２０】
前記戸当り本体２０は、図１、図２（ａ）及び図３（ａ）、（ｂ）に示すように、戸当りベース１０のベース基材１１内に収容される、ベース基材１１よりも幅狭のベース部材２１と、このベース部材２１に連設され、ドア枠４０の内面から突出する戸当り部材２２と、この戸当り部材２２に樹脂ヒンジ２０ａを介して開閉可能に連設されたカバー部材２３とを備えており、戸当り部材２２には、ドアの当接面に、ドアが当接する際の衝撃を和らげるクッション部２２ａが設けられている。
【００２１】
また、ベース部材２１と戸当り部材２２との連設部分には、戸当り本体２０の全長にわたって支持溝２０ｂが形成されており、この支持溝２０ｂを戸当りベース１０の鍔部１２に嵌め込むことによって、戸当り本体２０がその幅方向に移動可能に戸当りベース１０に支持されるようになっている。
【００２２】
前記カバー部材２３は、その先端部に係合部２３ａを有しており、この係合部２３ａを戸当り部材２２に形成された被係合部２２ｂに嵌め込むことによって、カバー部材２３が閉成状態に保持されるようになっている（図３（ｂ）参照）。
【００２３】
前記固定手段３０は、図１、図２（ａ）、（ｂ）及び図３（ａ）、（ｂ）に示すように、戸当りベース１０のベース基材１１と戸当り本体２０のベース部材２１との間に挟み込まれる、ベース基材１１の幅方向の内寸と略同一の直径を有する円盤状の回転板３１と、この回転板３１の偏心位置に固定された、回転板３１を回転操作する円形突起状の操作部材３２とから構成されており、操作部材３２がベース部材２１に形成された孔２１ａに嵌め込まれることによって、回転板３１が戸当り本体２０に対して回転可能に支持されている。なお、前記操作部材３２には、プラスドライバーを用いて回転操作を行うことができるように、その端面にプラスドライバーの先端部と係合する十字溝３２ａが形成されている。
【００２４】
以上のように構成された戸当り１をドア枠４０に取り付ける際は、図３（ａ）、（ｂ）に示すように、戸当り本体２０が戸当りベース１０の幅方向の中央部に位置するような状態にセットしておく。そして、図４（ａ）に示すように、経年変化によって、ドアＤの上部に反りが生じ、ドアＤと戸当り本体２０との間に部分的に僅かな隙間ｔが形成された場合は、以下のようにして戸当り本体２０の位置調整を行うことで、同図（ｂ）に示すように、反りが生じたドアＤに戸当り本体２０を沿わせることができる。なお、この戸当り１では、同図に示すように、固定手段３０が３箇所設置されているが、この場合、ドアＤの上部のみに反りが生じているので、３箇所の固定手段３０のうち最上部に位置する、即ち、ドアＤと戸当り１との間の隙間ｔに最も近い位置にある固定手段３０のみを操作すればよいことになる。
【００２５】
まず、図５に示すように、カバー部材２３を開いて操作部材３２を露出させ、プラスドライバーを用いて操作部材３２を時計回りに回転させると、これに伴って回転板３１も同方向に回転する。操作部材３２は回転板３１の偏心位置に固定されており、しかも、回転板３１は戸当りベース１０の幅方向への移動が規制されているので、図６（ａ）、（ｂ）に示すように、回転板３１が回転することに伴い、全体が上下方向に僅かに移動しながら操作部材３２が右側に移動することになる。これによって、操作部材３２に支持されている戸当り本体２０の上部が右側に撓んで、図４（ｂ）に示すように、戸当り本体２０がその長手方向の全長にわたってドアＤと当接することになる。
【００２６】
また、ドアＤの上部に逆方向の反りが生じることで、図７（ａ）に示すように、ドアＤの上部のみが戸当り本体２０に当接し、ドアＤを確実に閉めることができないような場合は、最上部の固定手段３０の操作部材３２を反時計回りに回転させると、図８（ａ）、（ｂ）に示すように、操作部材３２が左側に移動し、これに伴って、戸当り本体２０の上部が左側に撓んで、図７（ｂ）に示すように、戸当り本体２０がその長手方向の全長にわたってドアＤと当接するので、ドアＤを確実に閉めることができるようになる。
【００２７】
以上のように、この戸当り１は、ドアＤに反りが生じることによって、ドアＤと戸当り本体２０との間に部分的に僅かな隙間が形成されたり、ドアＤが閉まりにくくなるといった問題が発生した場合でも、操作部材３２をプラスドライバーによって回転させるだけで、反りが生じたドアＤに戸当り本体２０を確実に沿わせることができるので、これまでのように、ドア全体を取り替えたり、新たな戸当りに付け替えたりするといった手間とコストのかかる作業を行う必要がなく、こういった問題に対して簡単かつ迅速に対処することができる。
【００２８】
また、この戸当り１は、上述したように、戸当り部材２２に連設された開閉可能なカバー部材２３によって、固定手段３０の操作部材３２を隠蔽する構成を採用したため、戸当り１全体の外観を損なうことがなく、しかも、カバー部材２３を開くことによって操作部材３２を露出させることができるので、戸当り本体２０の位置調整作業を効率よく行うことができる。
【００２９】
なお、上述した実施形態では、カバー部材２３が樹脂ヒンジ２０ａを介して戸当り部材２２に連設されているが、図９に示すように、カバー部材２３を戸当り部材２２から分離し、カバー部材２３を戸当り部材２２に着脱自在に取り付ける構成を採用することも可能である。この場合は、クッション部２２ａはカバー部材２３に設けられることになる。
【００３０】
また、上述した実施形態では、長尺のカバー部材２３全体を戸当り部材２２に開閉可能に取り付けているが、図１０に示すように、固定手段３０に対応する部分を部分的に開閉または着脱する開閉部２４または着脱部２５を形成しておくことも可能である。このように、固定手段３０に対応するように、部分的に開閉部２４または着脱部２５を形成しておくと、反りが生じたドアＤに戸当り本体２０を沿わせるために、戸当り本体２０の位置調整を行う際に、調整しようとする固定手段３０に対応する開閉部２４または着脱部２５を開いたり、取り外したりしさえすればよいので、戸当り本体２０の位置調整作業を迅速に行うことができる。
【００３１】
また、上述した実施形態では、操作部材３２が固定された回転板３１からなる固定手段３０によって戸当り本体２０を戸当りベース１０に固定するようにしているが、こういった固定手段に限定されるものではなく、例えば、図１１に示すように、戸当り本体２０のベース部材２１に予めねじ孔２１ｂを形成しておき、このねじ孔２１ｂにワッシャー３３を介して木ねじ３４をねじ込むことによって、戸当り本体２０を戸当りベース１０に固定することも可能である。
【００３２】
このように、戸当り本体２０を戸当りベース１０にねじ止めする場合であっても、上述したように、戸当り本体２０は、その支持溝２０ｂを戸当りベース１０の鍔部１２に嵌め込むことによって、戸当りベース１０に支持されているので、反りが生じたドアＤに戸当り本体２０を沿わせるために、木ねじ３４による戸当り本体２０の固定を解除しても、戸当り本体２０が戸当りベース１０から外れることがなく、戸当り本体２０の位置調整作業を円滑に行うことができる。
【００３３】
また、上述したように戸当り本体２０を戸当りベース１０にねじ止めする場合は、図１２に示すように、戸当り本体２０のベース部材２１に形成するねじ孔２１ｃを、戸当り本体２０の幅方向に伸びる長孔にしておくと、戸当り本体２０をドア枠４０の幅方向に移動させることによって、反りが生じたドアＤに戸当り本体２０を沿わせる際、戸当り本体２０を戸当りベース１０に固定している木ねじ３４を適当に緩めるだけで、戸当り本体２０をねじ孔（長孔）２１ｃの範囲内において自由に移動させることができ、しかも、戸当り本体２０が位置決めされた段階では、緩めた木ねじ３４を締め込むことによって戸当り本体２０を即座に固定することができるので、戸当り本体２０の位置調整作業をさらに円滑に行うことができる。
【００３４】
また、上述した実施形態では、ドア枠４０に固定される戸当りベース１０に、戸当り本体２０を幅方向に移動可能に支持する構成を採用したが、本発明の戸当りはこれに限定されるものではなく、ドア枠４０の幅方向に移動可能に固定することができるのであれば、戸当りベース１０と戸当り本体２０とが一体的に形成されたものであってもよい。
【００３５】
また、上述した実施形態では、戸当り本体２０を可撓性を有する合成樹脂により形成しているが、戸当り本体２０は僅かに撓めばよいので、金属等の素材によって形成することも可能である。
【００３６】
また、上述した実施形態では、固定手段３０を戸当りベース１０の長手方向に３箇所設けているが、これに限定されるものではなく、３箇所以上の固定手段を設けることも可能であり、数多くの固定手段３０を設けることにより、ドアｄに生じる微妙な反りに対応することが可能となる。
【００３７】
また、上述した実施形態では、ドア枠４０の縦枠に取り付けられる戸当り１について説明したが、同様の戸当り１がドア枠４０の横枠にも取り付けられていることはいうまでもない。
【００３８】
図１３〜図１６は、他の実施形態を示している。この戸当り２も、上述した戸当り１と同様に、ドア枠４０に固定される長尺の戸当りベース１００と、戸当りベース１００の幅方向に移動可能に戸当りベース１００に支持される長尺の戸当り本体２００と、戸当り本体２００を、その移動範囲内の任意の位置に固定する固定手段としてのねじ３１０及びナット３２０とから構成されている。
【００３９】
戸当りベース１００は、図１３及び図１４（ｂ）に示すように、ベース板１１１、スライド板１１２及び連結板１１３からなる断面エ字状の長尺のベース基材１１０と、このベース基材１１０の全長にわたって、ベース板１１１からドア枠４０側に突出して、ドア枠４０に埋設される一対の保持片１２０とから構成されており、連結板１１３には、長手方向の複数箇所にねじ３１０を挿通するためのねじ孔１１３ａがそれぞれ形成されていると共に、そのねじ孔１１３ａに挿通されたねじ３１０に螺合するナット３２０が固定されている。
【００４０】
戸当り本体２００は、図１３及び図１４（ａ）に示すように、正面板２１１及び両側面板２１２、２１３からなる断面が門型形状の戸当り部材２１０と、この戸当り部材２１０の両側面板２１２、２１３の内面からそれぞれ内側に張り出す一対の張出板２２１、２２２と、一方の張出板２２１に連設された一対の支持板２３１、２３２と、ドアの当接面となる一方の側面板２１３の外面に連設された、ドアが当接する際の衝撃を和らげるクッション部２４０とを備えている。
【００４１】
また、戸当り本体２００には、一対の支持板２３１、２３２の間にねじ３１０の頭部３１１を挟み込んだ状態で、支持板２３２に形成されたねじ孔２３２ａにねじ３１０の軸部３１２が挿通されることによってねじ３１０が定位置回転可能に支持されており、側面板２１２及び支持板２３１にはねじ３１０を回転操作するためのドライバの挿通孔２１２ａ、２３１ａがそれぞれ形成されている。
【００４２】
以上のように構成された戸当り２は、図１５に示すように、まず、戸当りベース１００の一端側から、戸当り本体２００の正面板２１１と張出板２２１、２２２によって形成される溝にスライド板１１２を挿入することで、戸当りベース１００に戸当り本体２００を装着した後、ドア枠４０に形成された溝４１に戸当りベース１００の保持片１２０を嵌め込むことによって取り付ける。なお、戸当りベース１００に戸当り本体２００を装着する際は、同図に示すように、戸当り本体２００に取り付けられているねじ３１０が戸当りベース１００の連結板１１３に当接しないように、戸当りベース１００を戸当り本体２００におけるドアの当接面側に寄せた状態で、戸当りベース１００のスライド板１１２を戸当り本体２００の溝に挿入する。
【００４３】
そして、戸当り本体２００を戸当りベース１００に対してドアの当接面と反対側にスライドさせることによって、戸当り本体２００に取り付けられたねじ３１０を連結板１１３に形成されたねじ孔１１３ａに挿入しながら、図１６に示すように、側面板２１２及び支持板２３１にそれぞれ形成されたドライバの挿通孔２１２ａ、２３１ａにドライバを挿入して、ねじ３１０を回転操作することによって、ねじ３１０を戸当りベース１００に取り付けられたナット３２０にねじ込んで、戸当り本体２００を戸当りベース１００に対して略中央に位置するように移動させると、戸当り２のドア枠４０への取付が完了する。
【００４４】
以上のようにしてドア枠４０に取り付けられた戸当り２は、ドライバを用いてねじ３１０を左右いずれか一方に定位置回転させると、戸当り本体２００が戸当りベース１００に対してドア枠４０の幅方向に移動するので、経年変化によって、ドアに反りが生じることでドアと戸当り本体２００との間に部分的に僅かな隙間が形成された場合でも、その隙間に最も近い位置にあるねじ３１０をドライバを用いて回転操作することで、ドアと戸当り本体２００とを完全に当接させることができる。
【００４５】
図１７は他の実施形態を示している。この戸当り３は、上述した戸当り２と略同一の構成を有しているので、同一構成要素には同一符号を付してその説明を省略し、異なる構成要素について説明する。上述した戸当り２は、戸当り本体２００に定位置回転可能に取り付けられたねじ３１０を戸当りベース１００に取り付けられたナット３２０に螺合させることで、戸当りベース１００に対する戸当り本体２００の位置決め及び位置調整を行うようにしているが、この戸当り３は、そういった位置調整手段を備えていない点で戸当り２とは異なっている。
【００４６】
この戸当り３は、戸当り２と同様に、ドア枠４０に固定された戸当りベース１００に対して戸当り本体２００がドア枠４０の幅方向に移動可能に支持されており、戸当りベース１００の連結板１１３と戸当り本体２００の一方の張出板２２２に連設された支持板２３３とに一対のマグネット３３０、３４０が対向する状態で取り付けられている。
【００４７】
このマグネット３３０、３４０は、同極面（Ｎ極−Ｎ極、Ｓ極−Ｓ極）が相互に対向するように配置されており、両マグネット３３０、３４０間に作用する反発力（付勢力）によって、戸当り本体２００が戸当りベース１００に対してドアの当接面側に移動するように付勢されている。
【００４８】
従って、ドアを開いた状態、即ち、ドアが戸当り３の戸当り本体２００に当接していない状態では、同図（ａ）に示すように、戸当り本体２００が戸当りベース１００に対してドアの当接面側に移動した状態となっており、ドアが閉じられた状態では、戸当り本体２００がドアＤに押されて、同図（ｂ）に矢印で示す方向に僅かに移動するようになっている。
【００４９】
以上のように、この戸当り３は、ドアＤを閉じたときに、必ず、戸当り本体２００がドアＤに押されて僅かに移動するようになっているので、経年変化によってドアＤに僅かな反りが生じた場合でも、ドアＤを閉じると、反りのあるドアＤに戸当り本体２００が沿うように移動し、戸当り本体２００の位置調整を行う必要がないという効果がある。
【００５０】
なお、この実施形態では、戸当り本体２００の付勢手段としてマグネット３３０、３４０を使用しているが、これに限定されるものではなく、図１８（ａ）、（ｂ）に示すように、マグネット３３０、３４０に替えてバネ３５０を使用することも可能である。
【図面の簡単な説明】
【図１】この発明にかかる戸当りの一実施形態を示す分解斜視図である。
【図２】（ａ）は同上の戸当りを示す分解断面図、（ｂ）は同上の戸当りにおける固定手段を示す平面図である。
【図３】（ａ）は同上の戸当りの初期設置状態を示す縦断面図、（ｂ）は同上の戸当りの初期設置状態を示す横断面図である。
【図４】（ａ）はドアに反りが生じた状態における戸当りとドアとの関係を示す図、（ｂ）は反りが生じたドアに沿うように戸当りを調整した後の戸当りとドアとの関係を示す図である。
【図５】同上の戸当りを調整する際の一工程を示す断面図である。
【図６】（ａ）は調整後の戸当りを示す縦断面図、（ｂ）は同上の戸当りを示す横断面図である。
【図７】（ａ）はドアに反りが生じた状態における戸当りとドアとの関係を示す図、（ｂ）は反りが生じたドアに沿うように戸当りを調整した後の戸当りとドアとの関係を示す図である。
【図８】（ａ）は調整後の戸当りを示す縦断面図、（ｂ）は同上の戸当りを示す横断面図である。
【図９】同上の戸当りにおけるカバー部材の変形例を示す断面図である。
【図１０】同上の戸当りにおけるカバー部材の変形例を示す正面図である。
【図１１】同上の戸当りにおける固定手段の変形例を示す断面図である。
【図１２】同上の戸当りにおける固定手段の変形例を示す断面図である。
【図１３】他の実施形態である戸当りを示す断面図である。
【図１４】（ａ）は同上の戸当りの構成要素である戸当り本体を示す断面図、（ｂ）は同上の戸当りの構成要素である戸当りベースを示す断面図である。
【図１５】同上の戸当りの取付方法を示す断面図である。
【図１６】同上の戸当りにおける戸当り本体の位置調整状態を示す断面図である。
【図１７】（ａ）、（ｂ）は他の実施形態である戸当りを示す断面図である。
【図１８】（ａ）、（ｂ）は他の実施形態である戸当りを示す断面図である。
【図１９】（ａ）は一般的な戸当りを示す平面図、（ｂ）は（ａ）のＸ−Ｘ線に沿った断面図である。
【図２０】同上の戸当りのドア枠への取付け構造を示す断面図である。
【図２１】（ａ）、（ｂ）はドアに反りが生じた状態における戸当りとドアとの関係を示す図である。
【符号の説明】
１、２、３  戸当り
１０、１００  戸当りベース
１１、１１０  ベース基材
１２  鍔部
２０、２００  戸当り本体
２１  ベース部材
２１ｂ  ねじ孔
２１ｃ  ねじ孔（長孔）
２２  戸当り部材
２３  カバー部材
３０  固定手段
３１  回転板
３２  操作部材
３４  木ねじ
４０  ドア枠
３１０  ねじ
３２０  ナット
３３０、３４０  マグネット
３５０  バネ
Ｄ  ドア
【図１】
0004521093.tif 000002
【図２】
0004521093.tif 000003
【図３】
0004521093.tif 000004
【図４】
0004521093.tif 000005
【図５】
0004521093.tif 000006
【図６】
0004521093.tif 000007
【図７】
0004521093.tif 000008
【図８】
0004521093.tif 000009
【図９】
0004521093.tif 000010
【図１０】
0004521093.tif 000011
【図１１】
0004521093.tif 000012
【図１２】
0004521093.tif 000013
【図１３】
0004521093.tif 000014
【図１４】
0004521093.tif 000015
【図１５】
0004521093.tif 000016
【図１６】
0004521093.tif 000017
【図１７】
0004521093.tif 000018
【図１８】
0004521093.tif 000019
【図１９】
0004521093.tif 000020
【図２０】
0004521093.tif 000021
【図２１】
0004521093.tif 000022